【手続補正書】
【提出日】平成28年2月16日(2016.2.16)
【手続補正１】
【補正対象書類名】特許請求の範囲
【補正対象項目名】全文
【補正方法】変更
【補正の内容】
【特許請求の範囲】
【請求項１】
構造化文書に基づいて動画を動的に作成する方法であって、前記構造化文書中の項目に動画クリップが関連付けられており、前記方法は、電子装置が、
前記構造化文書中のユーザによって選択された少なくとも１つの項目を特定するステップと、
前記特定された項目と依存関係を有する少なくとも１つの依存項目を特定するステップと、
前記特定された項目それぞれに関連付けられた少なくとも１つの動画クリップ及び前記特定された依存項目それぞれに関連付けられた少なくとも１つの動画クリップに基づいて、前記動画を動的に作成するステップと、
前記動画を前記ユーザに提供するステップと
を実行することを含む、前記方法。
【請求項２】
前記構造化文書中の前記ユーザによって選択された前記少なくとも１つの項目が、
前記構造化文書においてユーザが指定した開始箇所及び終了箇所の各項目である、請求項１に記載の方法。
【請求項３】
前記選択された項目を特定するステップが、
前記選択された開始箇所の項目（以下、「第１の項目」という）と、前記選択された終了箇所の項目（以下、「第２の項目」という）との組み合わせの少なくとも１つを特定するステップと、
前記第１の項目と前記第２の項目との間にある各項目（以下、「第３の項目」という）を特定するステップと
を含む、請求項２に記載の方法。
【請求項４】
前記選択された項目を特定するステップが、
前記第１の項目、前記第２の項目又は前記第３の項目に依存する依存項目があるかを判定するステップと、
前記依存項目があることに応じて、当該依存項目を特定するステップと
をさらに含む、請求項３に記載の方法。
【請求項５】
前記動画を動的に作成するステップが、
前記第１の項目、前記第２の項目及び前記第３の項目を項目順に並べ替えるステップと、
前記第１の項目、前記第２の項目及び前記第３の項目それぞれに関連付けられた動画クリップに基づいて、前記項目順に動画を動的に作成するステップと
を含む、請求項３に記載の方法。
【請求項６】
前記動画を動的に作成するステップが、
前記第１の項目、前記第２の項目、前記第３の項目及び前記依存項目を項目順に並べ替えるステップと、
前記第１の項目、前記第２の項目、前記第３の項目及び前記依存項目それぞれに関連付けられた動画クリップに基づいて、前記項目順に動画を動的に作成するステップと
を含む、請求項４に記載の方法。
【請求項７】
前記動画を動的に作成するステップが、
前記第１の項目、前記第２の項目、又は前記第３の項目に関連付けられた動画クリップと、当該第１の項目、当該第２の項目、又は当該第３の項目に直隣接する依存項目に関連付けられた動画クリップとの間に、ユーザに次に提示される動画クリップを説明する為の補足動画クリップを挿入するステップ
をさらに含む、請求項５に記載の方法。
【請求項８】
前記動画を動的に作成するステップが、
前記第１の項目、前記第２の項目及び前記第３の項目それぞれに関連付けられた動画クリップそれぞれを第１の属性で再生する第１のフラグを、前記第１の項目、前記第２の項目及び前記第３の項目それぞれに関連付けられた動画クリップの再生情報に付すステップと、
前記依存項目それぞれに関連付けられた動画クリップそれぞれを前記第１の属性と異なる第２の属性で再生する第２のフラグを、前記依存項目それぞれに関連付けられた動画クリップの再生情報に付すステップと
をさらに含む、請求項６又は７に記載の方法。
【請求項９】
前記第１の属性及び前記第２の属性がそれぞれ、動画クリップの再生時間、動画クリップの再生速度、動画クリップの再生の有無、又は、動画クリップの再生ウィンドウの大きさである、請求項８に記載の方法。
【請求項１０】
前記動画を動的に作成するステップが、
前記特定された項目及び／又は前記依存項目に関連付けられた操作スクリプトがあるかを判定するステップと、
前記操作スクリプトがあることに応じて、当該操作スクリプトが関連付けられている前記項目に関連付けられた動画クリップとして、前記スクリプトが実行された場合の仮想実行画面を用いて、前記動画を動的に作成するステップと
をさらに含む、請求項１に記載の方法。
【請求項１１】
前記構造化文書が木構造であり、前記項目それぞれが前記木構造中の各ノードに対応する、請求項１〜１０のいずれか一項に記載の方法。
【請求項１２】
前記電子装置が、ユーザ端末から、前記ユーザによって選択された項目を受信可能なサーバである、請求項１〜１１のいずれか一項に記載の方法。
【請求項１３】
前記ユーザに提供するステップが、
前記動画又は前記動画を再生する為の情報を、前記サーバから前記ユーザ端末に送信するステップ
を含む、
請求項１２に記載の方法。
【請求項１４】
前記項目を特定するステップが、
ユーザによって選択された項目を受信するステップ
を含む、請求項１２又は１３に記載の方法。
【請求項１５】
前記電子装置が、前記構造化文書を備えているユーザ端末である、
請求項１〜１０のいずれか一項に記載の方法。
【請求項１６】
前記ユーザに提供するステップが、
前記提供された動画を再生するステップ、又は、前記提供された情報に従い動画を再生するステップ
を含む、請求項１５に記載の方法。
【請求項１７】
構造化文書に基づいて動画を動的に作成するための電子装置であって、前記構造化文書中の項目に動画クリップが関連付けられており、前記電子装置が、
前記構造化文書中のユーザによって選択された少なくとも１つの項目を特定し、且つ、当該特定された項目と依存関係を有する少なくとも１つの依存項目を特定する項目特定手段と
前記特定された項目それぞれに関連付けられた少なくとも１つの動画クリップ及び前記特定された依存項目それぞれに関連付けられた少なくとも１つの動画クリップに基づいて、前記動画を動的に作成する動画作成手段と、
前記動画を又は当該動画を再生する為の情報を、前記ユーザに提供する動画提供手段と
を備えている、前記電子装置。
【請求項１８】
前記電子装置が、ユーザ端末から、前記ユーザによって選択された項目を受信可能なサーバ、又は、前記構造化文書を備えているユーザ端末である、請求項１７に記載の電子装置。
【請求項１９】
構造化文書に基づいて動画を動的に作成するための電子システムであって、前記構造化文書中の項目に動画クリップが関連付けられており、
前記電子システムが、
ユーザ端末と
前記ユーザ端末に接続されたサーバと
を備えており、
前記ユーザ端末が、
前記構造化文書中の少なくとも１つの項目がユーザによって選択されることに応じて、当該選択された項目をサーバに送信すること
を実行し、
前記サーバが、
前記ユーザ端末から送信された前記項目を受信して、前記構造化文書中の前記ユーザによって選択された前記項目を特定すること、
前記特定された項目と依存関係を有する少なくとも１つの依存項目を特定すること、
前記特定された項目それぞれに関連付けられた少なくとも１つの動画クリップ及び前記特定された依存項目それぞれに関連付けられた少なくとも１つの動画に基づいて、前記動画を動的に作成すること、
前記動画を前記ユーザ端末に送信すること、
を実行する、
前記電子システム。
【請求項２０】
構造化文書に基づいて動画を動的に作成するための電子装置用プログラムであって、前記電子装置に、
前記構造化文書中のユーザによって選択された少なくとも１つの項目を特定するステップと、
前記特定された項目と依存関係を有する少なくとも１つの依存項目を特定するステップと、
前記特定された項目それぞれに関連付けられた少なくとも１つの動画クリップ及び前記特定された依存項目それぞれに関連付けられた少なくとも１つの動画クリップに基づいて、前記動画を動的に作成するステップと、
前記動画を前記ユーザに提供するステップと
を実行させる、前記電子装置用プログラム。